(57)【要約】 【課題】共用化されたバスがより効率的に活用されて双方の表示画面上にほぼ同時に画像が表示される画像表示装置、その画像表示装置を備えた撮影装置、およびその画像表示装置に搭載される信号処理方法を提供する。【解決手段】Ｖｉｄｅｏデータをマルチプレクサから８本の信号線を使って出力させているときの水平ブランキング期間中（Ｈ＿ＢＬＫ）に、Ｖｉｄｅｏデータの水平同期信号に同期した切替信号によってマルチプレクサＭＵＸを切り替えて、ＬＣＤデータを１８本の信号線（ＤＡＴＡ［０〜１７］）を使って表示用バッファであるラインメモリに供給する。ＬＣＤドライバが、ラインメモリ内のＬＣＤデータに応じてＬＣＤを駆動してＶｉｄｅｏデータの水平同期にあわせてＬＣＤパネル上にＶｉｄｅｏデータに基づく画像と同じ画像を表示する。【選択図】図５
2009118238.tif 000002
【特許請求の範囲】
【請求項１】
画像を表示する表示画面とビデオ出力端子とを備え、前記表示画面上への画像表示と前記ビデオ出力端子からのビデオ信号の出力とを担う画像表示装置であって、
前記表示画面に表示する画像を表わす表示用信号と前記ビデオ出力端子から出力するビデオ信号とを各々生成する信号生成手段と、
前記信号生成手段で生成された表示用信号とビデオ信号を、該ビデオ信号の水平ブランキング期間中に該表示用信号が出力されるように交互に切り替えて出力するマルチプレクサとを備えたことを特徴とする画像表示装置。
【請求項２】
前記マルチプレクサから出力される表示用信号を伝送する複数本の信号線を有し、当該複数本の信号線のうちの一部の本数の信号線が分岐して前記ビデオ出力端子にも接続されたバスを備え、
前記マルチプレクサは、前記複数本の信号線を使って表示用信号を伝送し、前記一部の本数の信号線を使ってビデオ信号を伝送するものであることを特徴とする請求項１記載の画像表示装置。
【請求項３】
前記マルチプレクサから出力された表示用信号を受け取って一時的に蓄積するバッファと、
前記バッファに蓄積された表示用信号を基に前記表示画面を駆動して該表示画面上に該表示用信号に応じた画像を表示させるドライバとを備えたことを特徴とする請求項１又は２記載の画像表示装置。
【請求項４】
前記表示画面が、該表示画面上のタッチ位置を検出するタッチパネルを備えたものであり、
前記信号生成手段は、前記表示画面へのタッチを受けて、該表示画面上のタッチ位置に対応した位置に表示マークを重畳した画像を表わすビデオ信号を生成するものであることを特徴とする請求項１から３のうちのいずれか１項記載の画像表示装置。
【請求項５】
外部機器との間の接続ケーブルの、前記ビデオ出力端子への接続を検出する検出手段を有し、
前記信号生成手段は、前記ビデオ出力端子への接続ケーブルの接続前は、メイン画像を表わす表示用信号を生成し、前記ビデオ出力端子への接続ケーブルの接続を受けてメイン画像を表わすビデオ信号とサブ画像を表わす表示用信号の生成を開始するものであることを特徴とする請求項１から４のうちのいずれか１項記載の画像表示装置。
【請求項６】
前記信号生成手段は、前記ビデオ出力端子への接続ケーブルの接続を受けて、前記サブ画像としてメニュー画面を表わす画像を表わす表示用信号の生成を開始するものであることを特徴とする請求項５記載の画像表示装置。
【請求項７】
外部機器との間の接続ケーブルの、前記ビデオ出力端子への接続を検出する検出手段を有し、
前記信号生成手段は、前記ビデオ出力端子への接続ケーブルの接続を受けて、接続前の表示用信号により表される画像の分解能よりも低い分解能の表示用信号の生成に切り替えるものであることを特徴とする請求項１から４のうちのいずれか１項記載の画像表示装置。
【請求項８】
前記信号生成手段は、前記ビデオ出力端子への接続ケーブルの接続を受けて、接続前の表示用信号により表される画像の輝度分解能よりも低い輝度分解能の表示用信号の生成に切り替えるものであることを特徴とする請求項７項記載の画像表示装置。
【請求項９】
前記信号生成手段は、前記ビデオ出力端子への接続ケーブルの接続を受けて、隣接する複数の画素を１つの画素地で表現した画像を表わす表示用信号の生成に切り替えるものであることを特徴とする請求項７又は８記載の画像表示装置。
【請求項１０】
撮像素子を備え、該撮像素子で被写体を表わす画像を生成する撮影装置において、
請求項１から９のうちのいずれか１項記載の画像表示装置を備えたことを特徴とする撮影装置。
【請求項１１】
画像を表示する表示画面とビデオ出力端子とを備え、前記表示画面上への画像表示と前記ビデオ出力端子からのビデオ信号の出力とを担う画像表示装置における信号処理方法であって、
前記表示画面に表示する画像を表わす表示用信号と前記ビデオ出力端子から出力するビデオ信号とを各々生成し、生成された表示用信号とビデオ信号を、該表示用信号の伝送と該ビデオ信号の伝送とで少なくとも一部が共通に使用される信号線上に、該ビデオ信号の水平ブランキング期間中に該表示用信号が出力されるように交互に切り替えて出力することを特徴とする信号処理方法。
【請求項１２】
前記表示画面が、該表示画面上のタッチ位置を検出するタッチパネルを備えたものであり、
前記表示画面へのタッチを受けて、該表示画面上のタッチ位置に対応した位置に表示されるマークを重畳した画像を表わすビデオ信号を生成することを特徴とする請求項１１記載の信号処理方法。
【請求項１３】
前記ビデオ出力端子への接続ケーブルの接続前は、メイン画像を表わす表示用信号を生成し、前記ビデオ出力端子への接続ケーブルの接続を受けてメイン画像を表わすビデオ信号とサブ画像を表わす表示用信号の生成を開始することを特徴とする請求項１１又は１２記載の信号処理方法。
【請求項１４】
前記ビデオ出力端子への接続ケーブルの接続を受けて、接続前の表示用信号により表される画像の分解能よりも低い分解能の表示用信号の生成に切り替えることを特徴とする請求項１１から１３のうちのいずれか１項記載の信号処理方法。
【発明の詳細な説明】
【技術分野】
【０００１】
本発明は、画像を表示する表示画面とビデオ出力端子とを備え、表示画面上への画像表示とビデオ出力端子からのビデオ信号の出力とを担う画像表示装置、その画像表示装置を備えた撮影装置、およびその画像表示装置で実行される信号処理方法に関する。
【背景技術】
【０００２】
最近の撮影装置には、ビデオ端子が備えられ、そのビデオ端子にテレビジョン受像機等がケーブルで接続されると、テレビジョン受像機の表示画面上に画像が表示されるものがある。このようにテレビジョン受像機の表示画面上に画像が大きく映し出されると、ユーザは表示画面上に大きく映し出された撮影画像を楽しむことができる。
【０００３】
しかし、撮影装置等では小型化を図ることを考えて撮影装置内部のデータバスを共用することが多いために上記のようにテレビジョン受像機の表示画面上に画像が映し出されたときには、撮影装置が備える表示画面上の撮影画像が消えてしまうものが多い。
【０００４】
そこで、特許文献１のようにフレームメモリを複数設けて双方の表示画面上に同じ画像を表示することができるようにしているものがある。このように双方の表示画面上に同じ画像が表示される構成であると、撮影装置が備える表示画面上の画像を見て操作を行ないながらテレビジョン受像機の表示画面上の画像を楽しむことができ、操作性が向上するという効果が得られる。
【０００５】
しかし、上記特許文献１の技術では、テレビジョン受像機にビデオ信号を送出するためのフレームメモリと、撮影装置が備える画像表示装置の表示画面に画像を表示するための表示用信号のフレームメモリとを２種設けること等を含めてバス周辺の構成が複雑になるという問題を抱えている。
【０００６】
そこで、特許文献２には、撮影装置が備える画像表示装置の表示画面とテレビジョン受像機の表示画面とに１フィールドごとに交互に同じバスを使って画像データを供給する構成にして双方の表示画面上に同じ画像を表示する技術が開示されている。
【０００７】
しかし、特許文献２では、一方の表示画面上の画像が切り替えられたときに他方の表示画面上に１フィールド分ずれて画像が表示されるという欠点がある。
【特許文献１】特開平７−３００９６５号公報
【特許文献２】特開平１１−２８４８８６号公報
【発明の開示】
【発明が解決しようとする課題】
【０００８】
本発明は、上記事情に鑑み、共用化されたバスがより効率的に活用されて双方の表示画面上にほぼ同時に画像が表示される画像表示装置、その画像表示装置を備えた撮影装置、およびその画像表示装置に搭載される信号処理方法を提供することを目的とする。
【課題を解決するための手段】
【０００９】
上記目的を達成する本発明の画像表示装置は、画像を表示する表示画面とビデオ出力端子とを備え、上記表示画面上への画像表示と上記ビデオ出力端子からのビデオ信号の出力とを担う画像表示装置であって、
上記表示画面に表示する画像を表わす表示用信号と上記ビデオ出力端子から出力するビデオ信号とを各々生成する信号生成手段と、
上記信号生成手段で生成された表示用信号とビデオ信号を、そのビデオ信号の水平ブランキング期間中にその表示用信号が出力されるように交互に切り替えて出力するマルチプレクサとを備えたことを特徴とする。
【００１０】
上記本発明の画像表示装置によれば、上記マルチプレクサから上記ビデオ出力端子に上記ビデオ信号が出力されているときのビデオ信号の水平ブランキング期間中に上記マルチプレクサが表示用信号側に切り替えられて表示用信号が出力される。つまりビデオ信号の水平期間中にビデオ信号と表示用信号との双方が交互に出力されることになる。
【００１１】
このため、上記マルチプレクサの後段にバスを配備してそのバスを共用化して効率的に表示用データとビデオデータとを出力することができるようになる。
【００１２】
その結果、ビデオ信号に基づく画像と表示用信号に基づく画像との双方がほぼ同時に表示される構成になる。
【００１３】
ここで、上記マルチプレクサから出力される表示用信号を伝送する複数本の信号線を有し、当該複数本の信号線のうちの一部の本数の信号線が分岐して上記ビデオ出力端子にも接続されたバスを備え、
上記マルチプレクサは、上記複数本の信号線を使って表示用信号を伝送し、上記一部の本数の信号線を使ってビデオ信号を伝送するものであることが好ましい。
【００１４】
上記ビデオ信号の水平ブランキング期間は、水平走査期間の一部であって相対的に短い時間になるので、上記表示用信号をより高速に表示画面に供給する必要が出てくる。
【００１５】
そこで表示用信号を出力するときには、複数本すべての信号線を用いて１水平期間中のビデオ信号に匹敵する量のデータを表示用信号として出力するとともに、その複数本の信号線のうちの一部の信号線を使ってビデオ信号を通常通りの表示周期でビデオ出力端子に出力する構成にしておくと良い。
【００１６】
また、上記マルチプレクサから出力された表示用信号を受け取って一時的に蓄積するバッファと、
上記バッファに蓄積された表示用信号を基に上記表示画面を駆動してその表示画面上にその表示用信号に応じた画像を表示させるドライバとを備えた態様であることが好ましい。
【００１７】
上記水平ブランキング期間中に１水平走査期間中の表示用信号を出力する構成にすると、当該画像表示装置が備える表示画面上に画像を表示する際の表示タイミングがビデオ信号が持つ周期にあわなくなってしまう。
【００１８】
そこで、上記バッファを設けてそのバッファに表示用信号を一時蓄積し、そのバッファに蓄積された表示用信号を基に上記ドライバで上記表示画面を駆動する構成にして表示タイミングを合わせることができるようにしておくと良い。
【００１９】
また、上記表示画面が、その表示画面上のタッチ位置を検出するタッチパネルを備えたものであり、
上記信号生成手段は、上記表示画面へのタッチを受けて、その表示画面上のタッチ位置に対応した位置に表示マークを重畳した画像を表わすビデオ信号を生成するものであることが好ましい。
【００２０】
そうすると、上記ビデオ出力端子にテレビジョン受像機が接続されたときには当該画像表示装置の表示画面を操作用画面として用いることができる。
【００２１】
つまり、ユーザが上記画像表示装置が備えるタッチパネルに触れたタッチ位置がテレビジョン受像機の表示画面上の一部に表示マークで表示されることになるので、ユーザはタッチパネルのいずれかの位置にタッチすることで、テレビジョン受像機の大きな表示画面上の画像を見ている人にタッチ位置を知らせることができる。
【００２２】
また、外部機器との間の接続ケーブルの、上記ビデオ出力端子への接続を検出する検出手段を有し、
上記信号生成手段は、上記ビデオ出力端子への接続ケーブルの接続前は、メイン画像を表わす表示用信号を生成し、上記ビデオ出力端子への接続ケーブルの接続を受けてメイン画像を表わすビデオ信号とサブ画像を表わす表示用信号の生成を開始するものであることが好ましい。
【００２３】
上記表示用信号として上記メイン画像とは異なるサブ画像を生成する構成にすると、当該画像表示装置が備える表示画面とテレビジョン受像機の表示画面とにそれぞれ異なる画像を表示することができる。
【００２４】
例えば、上記信号生成手段が、上記ビデオ出力端子への接続ケーブルの接続を受けて、上記サブ画像としてメニュー画面を表わす画像を表わす表示用信号の生成を開始するものであっても良い。
【００２５】
そうすると、当該画像表示装置の操作用端末としての機能が高められる。
【００２６】
つまり、ユーザは、テレビジョン受像機の大きな表示画面の方を画像表示用にしておいて、当該画像表示装置が備える小さな表示画面を操作用の画面として、画像を切り替えたり、画像上の一部を指示したりするような操作を自在に行なうことができるようになる。
【００２７】
また、外部機器との間の接続ケーブルの、上記ビデオ出力端子への接続を検出する検出手段を有し、
上記信号生成手段は、上記ビデオ出力端子への接続ケーブルの接続を受けて、接続前の表示用信号により表される画像の分解能よりも低い分解能の表示用信号の生成に切り替えるものであると良い。
【００２８】
上記テレビジョン受像機が接続されたときに当該画像表示装置を操作用端末として使用する場合には、文字等の表示が主になってさほどの解像度が必要なくなる。そこで上記の如く画像の分解能よりも低い分解能の表示用信号にする構成にすると良い。
【００２９】
そうすると、消費電力の低減を図ることができるという効果が得られる。
【００３０】
ここで、分解能を下げるにあたって上記信号生成手段は、上記ビデオ出力端子への接続ケーブルの接続を受けて、接続前の表示用信号により表される画像の輝度分解能よりも低い輝度分解能の表示用信号の生成に切り替えるものであっても良く、
上記信号生成手段は、上記ビデオ出力端子への接続ケーブルの接続を受けて、隣接する複数の画素を１つの画素値で表現した画像を表わす表示用信号の生成に切り替えるものであっても良い。
【００３１】
上記目的を達成する本発明の撮影装置は、撮像素子を備え、その撮像素子で被写体を表わす画像を生成する撮影装置において、上記画像表示装置を備えたことを特徴とする。
【００３２】
また、上記目的を達成する上記本発明の信号処理方法は、画像を表示する表示画面とビデオ出力端子とを備え、上記表示画面上への画像表示と上記ビデオ出力端子からのビデオ信号の出力とを担う画像表示装置における信号処理方法であって、
上記表示画面に表示する画像を表わす表示用信号と上記ビデオ出力端子から出力するビデオ信号とを各々生成し、生成された表示用信号とビデオ信号を、その表示用信号の伝送とそのビデオ信号の伝送とで少なくとも一部が共通に使用される信号線上に、そのビデオ信号の水平ブランキング期間中にその表示用信号が出力されるように交互に切り替えて出力することを特徴とする。
【００３３】
ここで、上記表示画面が、その表示画面上のタッチ位置を検出するタッチパネルを備えたものであり、
上記表示画面へのタッチを受けて、その表示画面上のタッチ位置に対応した位置に表示されるマークを重畳した画像を表わすビデオ信号を生成することが好ましい。
【００３４】
また、上記ビデオ出力端子への接続ケーブルの接続前は、メイン画像を表わす表示用信号を生成し、上記ビデオ出力端子への接続ケーブルの接続を受けてメイン画像を表わすビデオ信号とサブ画像を表わす表示用信号の生成を開始することが好ましい。
【００３５】
さらに、上記ビデオ出力端子への接続ケーブルの接続を受けて、接続前の表示用信号により表される画像の分解能よりも低い分解能の表示用信号の生成に切り替えることが好ましい。
【発明の効果】
【００３６】
以上、説明したように、共用化されたバスがより効率的に活用されて双方の表示画面上にほぼ同時に画像が表示される画像表示装置、その画像表示装置を備えた撮影装置、およびその画像表示装置に搭載される信号処理方法が実現する。
【発明を実施するための最良の形態】
【００３７】
以下図面を参照して本発明の実施の形態を説明する。
【００３８】
図１は、本発明の画像表示装置を備える撮影装置の一実施形態であるデジタルカメラを示す図である。図１には本発明の一実施形態であるデジタルカメラ１００の斜視図が示されている。図１（ａ）には正面上方から見た斜視図が示されており、図１（ｂ）には背面上方から見た斜視図が示されている。また図２は、デジタルカメラ１００が備えるＶｉｄｅｏ出力端子１９０にテレビジョン受像機２００からの接続ケーブルＣＡが接続された場合の状態を示す図である。なお、以降においては明細書中にＶｉｄｅｏという英単語が用いてられているが、このＶｉｄｅｏという英単語はビデオと同じ意味の単語として使用している。
【００３９】
図１（ａ）に示すように、本実施形態のデジタルカメラ１００のボディ中央には撮影光学系１７００が内蔵されたレンズ鏡胴１７０が備えられており、そのレンズ鏡胴１７０の上方にはファインダ１０５が備えられている。またそのファインダ１０５の脇には撮影補助光発光窓１６１が備えられている。
【００４０】
また、図１（ｂ）に示すように本実施形態のデジタルカメラ１００の背面および上面にはユーザがこのデジタルカメラ１００を使用するときにいろいろな操作を行うための操作子群１０１が備えられている。
【００４１】
この操作子群１０１の中にはデジタルカメラ１００を作動させるための電源スイッチ１０１ａのほか、十字キー１０１ｂ、メニュー／ＯＫキー１０１ｃ、キャンセルキー１０１ｄ、モードレバー１０１ｅ、ズームスイッチ１０１ｆなどがある。これらの操作子群１０１の中のモードレバー１０１ｅによっては、再生モードと撮影モードの切替や撮影モードの中でさらに動画モード、静止画モードの切替が行なわれる。上記モードレバー１０１ｅが撮影モードに切り替えられた状態にあるときに電源スイッチ１０１ａが投入されるとＬＣＤ１５０のＬＣＤパネル上にスルー画が表示されて、そのスルー画を見ながらシャッタチャンスにレリーズ釦１０２が押されて被写体の撮影が行なわれる。また、上記モードレバー１０１ｅが再生側に切り替えられた状態にあるときには、既撮影画像がＬＣＤ１５０のＬＣＤパネル上に再生表示される。
【００４２】
また、図１のデジタルカメラの側面にはＶｉｄｅｏ出力端子１９０が配備されており、上記モードレバー１０１ｅが再生モードに切り替えられた状態にあるときにそのＶｉｄｅｏ出力端子１９０にテレビジョン受像機２００からのケーブルＣＡが接続された場合には、図２に示す様に表示画面１５０上の既撮影画像がテレビジョン受像機２００の表示画面上にも表示されるようになっている。
【００４３】
図３は、図１、図２のデジタルカメラ１００内部の電気系統の構成ブロック図である。
【００４４】
図３を参照してこのデジタルカメラ１００の内部の構成および動作を簡単に説明する。
【００４５】
本実施形態のデジタルカメラ１００では信号生成手段１１２もマイコン１１０と同様にプロセッサで構成されており、すべての制御がマイコン１１０と信号生成手段１１２との連携によって行なわれている。
【００４６】
マイコン１１０の入力部には、図１（ｂ）で説明したレリーズボタン１０２や撮影モードダイヤル等の操作子群が接続されており、それらの操作子群１０１からの操作信号に応じてマイコン１１０によって適宜処理が開始される。例えば電源スイッチが投入された状態にあるときにモードダイヤル１０１ｅが撮影モードに切り替えられた場合にはマイコン１１０は撮影処理を開始し、モードダイヤル１０１ｅが再生モードに切り替えられた場合には再生処理を開始する。図１のデジタルカメラ１００内のマイコン１１０と信号生成手段１１２とが再生処理を連携して行なうときには、図１のデジタルカメラ１００は本発明にいう画像表示装置として動作する。
【００４７】
まず、撮影処理を簡単に説明しておく。
【００４８】
マイコン１１０は、まず撮像素子１１１に電子シャッタを所定の間隔ごとに設定して電子シャッタのオフタイミングで所定の間隔ごとに画像信号（以下スルー画信号という）を信号生成手段１１２へと出力させる。出力されてきたスルー画信号を受けて、信号生成手段１１２内の信号処理回路１１２１では信号処理が行なわれて後段のＬＣＤデータ生成部１１２Ａに出力される。ＬＣＤデータ生成部１１２ＡではＬＣＤパネル上に表示する表示用信号（以降ＬＣＤデータという）が生成され、後段のマルチプレクサＭＵＸを経由して画像表示バッファであるラインメモリＬＭにそのＬＣＤデータが供給される。そのラインメモリＬＭ内のＬＣＤデータに応じてＬＣＤドライバ１５０１によってＬＣＤ１５０が駆動され、ＬＣＤ１５０のＬＣＤパネル上にスルー画が表示される。なお、撮影モードのときにはマルチプレクサＭＵＸは常時オンされＬＣＤデータ側に切り替えられたままになっているとする。
【００４９】
ここで、撮影者によってスルー画の表示に基づいてレリーズボタン１０２が押し操作されたときには、マイコン１１０は、半押しタイミングで撮像素子１１１に電子シャッタを設定するとともに信号生成手段１１２内の信号処理回路１１２１による露出調整やピント調整の結果を受け取って不図示のフォーカスレンズを合焦位置に駆動するとともに不図示の絞りの径を調整し、さらに全押しタイミングで撮像素子１１１の電子シャッタを開けて露光を開始させて所定のシャッタ秒時後の電子シャッタのオフタイミングで撮像素子１１１が生成した画像データを後段の信号生成手段１１２内の信号処理回路１１２１へと出力させる。そして信号処理回路１１２１では、ＹＣ信号への変換や圧縮処理等の一連の信号処理が実施される。その後、信号処理された画像データが、マイコン１１０の制御の下に外部ＩＦ１１３を介してメモリカードＭＣに記録される。なお、図３には、外部ＩＦ１１３を介して画像データを記録するときに用いられる画像データ保持用のメモリ１１４も図示されている。
【００５０】
次に再生モードの処理を説明する。
【００５１】
モードダイヤル１０１ｅが再生モードに切り替えられたこと受けてマイコン１１０によって外部ＩＦ１１３を介してメモリカードＭＣに記録されている既撮影画像のうちのいずれか（例えば撮影日時が最新のもの）が読み出されて信号生成手段１１２に供給される。
【００５２】
信号生成手段１１２では、その既撮影画像を受け取ってＬＣＤデータ生成部１１２ＡでＬＣＤデータが生成され、そのＬＣＤデータがマルチプレクサＭＵＸ、バスＢＵＳを経由して画像表示用バッファであるラインメモリＬＭに供給される。
【００５３】
そしてＬＣＤドライバ１５０１によって、そのラインメモリＬＭ内のＬＣＤデータに応じてＬＣＤ１５０が駆動されＬＣＤ１５０のＬＣＤパネル上に既撮影画像が表示される。
【００５４】
ここで、Ｖｉｄｅｏ出力端子１９０にテレビジョン受像機２００（図２参照）からのケーブルＣＡが接続された場合には、マイコン１１０から信号生成手段１１２にＶｉｄｅｏ出力端子検出部１９１からのケーブルが接続されたという検出結果が通知される。その通知を受けてメモリカードＭＣから読み出された既撮影画像が信号生成手段１１２内のＬＣＤデータ生成部１１２Ａに加えてＶｉｄｅｏデータ生成部１１２Ｂにも供給される。つまり、信号生成手段１１２では、メモリカードＭＣから読み出された既撮影画像を表わす画像データに基づいてＬＣＤデータ生成部１１２ＡでＬＣＤデータが生成されるとともに、Ｖｉｄｅｏデータ生成部１１２Ｂでビデオ信号（以降ＬＣＤデータに対してＶｉｄｅｏデータという）が生成される。Ｖｉｄｅｏデータには、周知の通り、Ｖｉｄｅｏ画像を表わす画像データに加えて、水平同期信号（Ｈｓｙｎｃ＿Ｖ）、垂直同期信号（Ｖｓｙｎｃ＿Ｖ）、クロック（Ｄｃｌｋ＿Ｖ）等の同期用の信号が含まれており、これらがＶｉｄｅｏ出力端子１９０から出力される。図３には、同期信号（Ｈ＿ｓｙｎｃ、Ｖ＿ｓｙｎｃ、Ｄｃｌｋ＿Ｖ）とＶｉｄｅｏ用の画像データとが別々の信号線によりＶｉｄｅｏ出力部１９に供給されてＶｉｄｅｏ出力部１９で双方の信号が混合された後にＶｉｄｅｏ出力端子１９０からＶｉｄｅｏデータが出力されるということが示されている。
【００５５】
そこで、信号生成手段１１２は、Ｖｉｄｅｏデータ生成部１１２Ｂで生成されたＶｉｄｅｏデータのうちの水平同期信号（Ｈｓｙｎｃ＿Ｖ）と垂直同期信号（Ｖｓｙｎｃ＿Ｖ）とクロック（Ｄｃｌｋ＿Ｖ）と用いて水平ブランキング期間に論理が反転する信号を作成して作成した信号を後段のマルチプレクサＭＵＸに供給することでマルチプレクサのオンオフを切り替えることができるようにしている。つまり水平ブランキング期間にのみマルチプレクサＭＵＸをオン状態にして水平ブランキング期間（Ｈ＿ＢＬＫ：図４参照）にはＬＣＤデータをマルチプレクサＭＵＸからラインメモリＬＭに出力するとともに、水平アクティブ期間（Ｈ＿Ａｃｔｉｖｅ：図４参照）においてはマルチプレクサＭＵＸをオフにしてＶｉｄｅｏ出力端子１９０にＶｉｄｅｏデータを出力することができるようにしている。
【００５６】
このようにすると、バス周辺の構造を複雑にしなくても、マルチプレクサＭＵＸを設けてそのマルチプレクサＭＵＸを切り替えるという簡単な構成で、ＬＣＤデータとＶｉｄｅｏデータとを水平周期ごとにほぼ同時に出力することができる。
【００５７】
ここで、本実施形態においてはＶｉｄｅｏデータ中の水平ブランキング期間が相対的に短い時間であることを考えて、バスＢＵＳを複数本の信号線で構成して、短時間のうちにＶｉｄｅｏデータの１水平周期分の画像データをＬＣＤデータにして伝送することができる構成にしているのでその構成を図３を参照して説明する。
【００５８】
本実施形態では、本発明にいうとおりに、バスＢＵＳが、マルチプレクサＭＵＸから出力される表示用信号であるＬＣＤデータを伝送する複数本の信号線を有し、当該複数本の信号線のうちの一部の本数の信号線が分岐してＶｉｄｅｏ出力端子１９０にも接続され、マルチプレクサＭＵＸは、複数本の信号線を使って表示用信号であるＬＣＤデータを伝送し、一部の本数の信号線を使ってＶｉｄｅｏデータを伝送する構成にしてある。
【００５９】
具体的には、上記複数本の信号線を、図３に示す様に１８本の信号線（ＤＡＴＡ［０〜１７］）で構成し、本発明にいう一部の本数の信号線をその１８本の信号線のうちの８本の信号線（ＤＡＴＡ［０〜７］）で構成して、Ｖｉｄｅｏデータは、８本の信号線を使ってＶｉｄｅｏ出力端子１９０に供給して、ＬＣＤデータは、水平ブランキング期間中に１８本の信号線（Ｄａｔａ０〜１７）を使ってラインメモリＬＭに供給する構成としている。
【００６０】
さらに本実施形態では、水平ブランキング期間にラインメモリＬＭ側に供給される同期信号のうちのクロックＤｃｌｋ＿Ｌの速さを、Ｖｉｄｅｏデータ側のクロックＤｃｌｋ＿Ｖよりも高速にして、１水平周期分のＬＣＤデータをＬＣＤ１５０に確実に供給することができる構成にしてある。
【００６１】
ここでＶｉｄｅｏデータの構成を簡単に説明しておく。
【００６２】
図４は、テレビジョン受像機の１画面分の走査信号の時間的な流れを説明する図であり、図５は、マイコン１１０と信号生成手段１１２とが連携して行なう信号処理の手順を説明するタイミングチャートである。
【００６３】
図４に示す様に、水平走査信号は、水平ブランキング期間（Ｈ＿ＢＬＫ）と水平走査期間（Ｈ＿Ａｃｔｉｖｅ）との２つの期間を有し、水平ブランキング期間中には、テレビジョン受像機２００の表示画面上の表示がブランキングされるように構成されている。つまり、図４の実線で示す水平走査期間（Ｈ＿Ａｃｔｉｖｅ）中に画像表示が行なわれる。
【００６４】
そこで、水平ブランキング期間（Ｈ＿ＢＬＫ）ごとに、ＬＣＤデータをラインメモリＬＭに供給しそのラインメモリＬＭに１水平走査ごとにＬＣＤデータを一時蓄えさせておいてＬＣＤドライバ１５０１がそのラインメモリＬＭ内のＬＣＤデータに応じてＬＣＤ１５０を駆動して双方の表示画面に同じ画像を表示することができるようにしている。
【００６５】
図５を参照して１フレーム分のＬＣＤデータを水平ブランキング期間中にどのようにして伝送するかを説明する。
【００６６】
図５（ａ）は、Ｖｉｄｅｏデータ中の垂直同期信号を示す波形図であり、図５（ｂ）は、その垂直同期信号中の２４０本分の水平同期信号（２４０ＨＤ）それぞれを示す波形図である。この図５（ｂ）の下方には、図５（ｂ）の１水平走査（１ＨＤ）分の走査信号の内容が分かるように１水平走査の部分の拡大図が示されている。図５（ｃ）は、その拡大図で示される１水平走査期間（１ＨＤ）中にＶｉｄｅｏデータとともに伝送されるクロック信号（Ｄｃｌｋ＿Ｖ）を示す図であり、図５（ｄ）は、Ｖｉｄｅｏデータ中の画像データの伝送タイミングを示す図であり、図５（ｅ）は、水平ブランキング期間中にラインメモリＬＭに伝送されるＬＣＤデータの伝送状態を示す図である。
【００６７】
図５（ａ）に示す様に、垂直走査期間中にはテレビジョン受像機側でインターレース走査が行なわれるので２フィールドで構成される１フレームのＶｉｄｅｏデータがテレビジョン受像機２００に供給される。この垂直走査期間中には、図５（ｂ）に示す様に、例えば１フィールドごとに２４０本づつの水平走査（ＨＤ）が画面の垂直方向に向かって順次に行なわれて１画面分の画像が画面上に表示される。
【００６８】
ここで、図５（ｂ）の拡大図に示す様に、その水平走査信号の中には表示がブランキングされる期間、つまり図４の帰線期間中の表示をブランクにするためのブランキング期間が含まれている。
【００６９】
そこで、本実施形態においては、その水平ブランキング期間中に、ＬＣＤデータを、Ｖｉｄｅｏデータのクロック（Ｄｃｌｋ＿Ｖ）よりも速い、例えば２倍のクロック（Ｄｃｌｋ＿Ｌ）で供給するとともに、バスを構成する１８本の信号線ＤＡＴＡ［０〜１７］を使ってＬＣＤデータをラインメモリＬＭに供給して１水平区間ごとにラインメモリＬＭに１水平走査分のＬＣＤデータを一時蓄えさせておいて、ＬＣＤドライバ１５０１がそのラインメモリＬＭ内の、水平周期ごとに書き換えられるＬＣＤデータに応じてＬＣＤ１５０を順次に駆動してＬＣＤ１５０のＬＣＤパネル上にＶｉｄｅｏデータに基づく画像と同じ画像を表示することができるようにしている。
【００７０】
このようにすると、１水平走査期間中にＶｉｄｅｏデータと同じ内容のＬＣＤデータをＬＣＤ１５０に供給することができるので、ＬＣＤ１５０とテレビジョン受像機２００との双方の表示画面上に同じ画像を表示することができる。
【００７１】
図６は、マイコン１１０と信号生成手段１１２とが連携して行なう信号処理の手順を説明する図である。
【００７２】
ステップＳ６０１で、モードダイヤル１０１ｅが再生モードに切り替えられていると判定したときには、ステップＳ６０２でＬＣＤデータをＬＣＤ１５０に供給してＬＣＤデータに基づく画像の表示をＬＣＤパネル１５０上に行ない、再生モードに切り替えられていないと判定したときには、ステップＳ６０１の処理を繰り返し行なう。
【００７３】
次のステップＳ６０３で、Ｖｉｄｅｏ出力端子１９０にケーブルＣＡが接続されているかどうかをＶｉｄｅｏ端子検出部１９１の検出結果に基づいて判定し、ケーブルＣＡが接続されていないと判定したときにはステップＳ６０２に戻ってステップＳ６０２とステップＳ６０３の処理を繰り返す。
【００７４】
ステップＳ６０３でマイコン１１０が、Ｖｉｄｅｏ出力端子１９０にケーブルＣＡが接続されているということをＶｉｄｅｏ端子検出部１９１の検出結果に基づいて判定したときには、ステップＳ６０４でマイコン１１０が信号生成手段１１２にＬＣＤデータの生成とともにＶｉｄｅｏデータの生成を指示する。なお図６には、双方の表示画面の画面データを階層的に扱っていることを示すために層という意味を示す英語であるレイヤという言葉が用いられている。つまり、このレイヤ１，レイヤ２という文言によって、Ｖｉｄｅｏデータに対応する画面と、ＬＣＤデータに対応する画面がそれぞれ別々に作成されているということが示されている。
【００７５】
さらにステップＳ６０４で、信号生成手段１１２は、マイコン１１０が外部ＩＦ１１３を介して読み出した既撮影画像を表わす画像データをＬＣＤデータ生成部１１２ＡとＶｉｄｅｏデータ生成部１１２Ｂとにそれぞれ供給するとともに、ステップＳ６０５でＶｉｄｅｏデータ生成部１１２Ｂで生成されたＶｉｄｅｏデータが水平ブランキング期間にあるかどうかを判定する。ステップＳ６０５で信号生成手段１１２が、Ｖｉｄｅｏデータが水平ブランキング期間にあると判定したときにはＹｅｓ側へ進んでステップＳ６０６でマルチプレクサＭＵＸをオンにしてステップＳ６０７でＬＣＤデータをマルチプレクサＭＵＸから出力し、ステップＳ６０５に戻って同じ処理を繰り返す。このときには、バスを構成する１８本の信号線全てを使ってＬＣＤデータをラインメモリＬＭに供給するとともに、書き込み用のクロック（Ｄｃｌｋ＿Ｌ）を２倍のクロックにしてラインメモリＬＭに供給して１水平期間中のＶｉｄｅｏデータと同じ内容のＬＣＤデータをラインメモリＬＭに記憶する。
【００７６】
ステップＳ６０５でＶｉｄｅｏ信号が水平ブランキング期間にはないと判定したときには、Ｎｏ側へ進んでステップＳ６０８でマルチプレクサＭＵＸをオフに切り替えてステップＳ６０９でそのマルチプレクサＭＵＸからＶｉｄｅｏデータを出力する。そしてステップＳ６１０でＶｉｄｅｏ出力のオフ操作（例えばケーブルを外す等）がされないか、または表示オフ操作がされないときにはステップＳ６０５に戻ってステップＳ６０５からステップＳ６１０までの処理を繰り返し、ステップＳ５０１でＶｉｄｅｏ出力がオフ操作される（つまりケーブルが外された）か、表示オフ操作（例えば電源スイッチオフ）されたときには、ステップＳ６１０でＹｅｓ側へ進んでこのフローの処理を終了する。
【００７７】
このような構成にすると、１フレーム分のＶｉｄｅｏデータをＶｉｄｅｏ出力端子１９０に供給し終わるのとほぼ同時に、１フレーム分のＬＣＤデータをＬＣＤ１５０に供給することができるので、同じ画像を双方の表示画面上に表示することができる。また、ＬＣＤデータ生成部１１２ＡとＶｉｄｅｏデータ生成部１１２Ｂとの双方に同時に既撮影画像が供給され双方の生成部で生成されたＶｉｄｅｏデータとＬＣＤデータとがそれぞれマルチプレクサＭＵＸから水平走査期間中に交互に出力されることになるので、一方の画像の切り替えに応じて他方の画像もリアルタイムに切り替えられる。
【００７８】
以上、説明したように、共用化されたバスがより効率的に活用されて双方の表示画面上にほぼ同時に画像が表示される画像表示装置、その画像表示装置を備えた撮影装置、およびその画像表示装置に搭載される信号処理方法が実現する。
【００７９】
次に第２実施形態を説明する。
【００８０】
図７は、第１実施形態の構成に加えてＬＣＤ１５０のＬＣＤパネル上にタッチパネル１５０Ａを付加した場合の第２実施形態の作用を説明する図である。図８は、図７の構成を実現するデジタルカメラ１００Ａの内部構成を示す図である。図８の構成は、タッチパネルが付加されている以外は、図３の構成と同じである。
【００８１】
図９は、図５と同様の、図８内部のマイコン１１０と信号生成手段１１２とが連携して行なう信号処理の手順を説明するタイミングチャートである。図１０は、図６と同様の、マイコン１１０と信号生成手段１１２とが連携して行なう信号処理の手順を説明するフローチャートである。
【００８２】
この第２実施形態では、図７に示す様に図８の内部構成を持つデジタルカメラ１００Ａが備えるＬＣＤ１５０のＬＣＤパネル上にタッチパネル１５０Ａを配備しそのタッチパネル１５０Ａ上にメニューを表示するとともに、テレビジョン受像機２００の表示画面上に既撮影画像を表示する構成にした場合の例が示されている。
【００８３】
また図９のタイミングチャートには、図５と同様のタイミングチャートが示されており、特に図９（ｆ）〜図９（ｈ）には第２実施形態で得られる効果がどのようなものであるかを説明するための図が付加されている。
【００８４】
第２実施形態の構成および動作をまず説明する。
【００８５】
図７に示す様に、ＬＣＤ１５０のＬＣＤパネル上には、図８のデジタルカメラ１００Ａが備えるタッチパネル１５０Ａ上に構成されている部品データ等が表示されており、テレビジョン受像機２００の表示画面上には、既撮影画像が表示されている。
【００８６】
図８に示す信号生成手段１１２は、マイコン１１０からタッチパネル１５０Ａ上の部品データや座標データ等を受け取ってＬＣＤデータ生成部１１２Ａに供給し、その部品データや座標データをラインメモリＬＭに供給している。ここで本実施形態ではメニュー画面が文字データや部品データであることを考えて、信号生成手段１１２がＶｉｄｅｏ出力端子１９０への接続ケーブルＣＡの接続を受けて、接続前のＬＣＤデータにより表される既撮影画像の分解能よりも低い分解能のＬＣＤデータ（メニュー画像）の生成に切り替えている。こうすると消費電力が低減され、デジタルカメラ内部の電池の長寿命化を図ることが可能となる。
【００８７】
ここで、ＬＣＤ１５０のＬＣＤパネル上に表示する画像の分解能を下げる場合には、図９（ｆ）に示す様に、バスの１８本の信号線ＤＡＴＡ［０〜１７］の信号線を用いてＲ，Ｇ，ＢのＬＣＤデータをそれぞれ６ビットづつ送らずに、図９（ｇ）に示す様にＤＡＴＡ［０〜２］の３本の信号線、ＤＡＴＡ［６〜８］のうちの３本の信号線、ＤＡＴＡ［１２〜１４］の３本の信号線を用いて各色信号の１画素あたりのビット数を下げたＬＣＤデータをＬＣＤ１５０に供給する構成にすると良い。図９（ｇ）には、Ｒ色の信号線のみが示されているが、Ｇ、Ｂについても同様である。
【００８８】
この構成にすると、各色信号のビット数が低減されて通常の画像よりは解像度を必要としないメニュー画面の表示が適切に行なわれるとともに消費電力の低減が図られる。
【００８９】
また、図９（ｈ）に示す様にＶｉｄｅｏ出力端子１９０への接続ケーブルの接続を受けて、隣接する複数の画素（Ｄ０，Ｄ１）を１つの画素値で表現した画像を表わすＬＣＤデータの生成に切り替える構成にしても同様の効果が得られる。つまり、輝度分解能、空間分解能のいずれを下げても同様の効果が得られるということになる。
【００９０】
さらに、図７の構成にすると、画像表示装置を構成するデジタルカメラ１００を操作用端末として用いることができるようになるので、ユーザは、デジタルカメラ１００を操作用端末として扱ってテレビジョン受像機が備える表示画面上の画像を次々に切り替える等の操作を自在に行なうことがができるようになるという効果が得られる。
【００９１】
最後に図１０を参照して、マイコン１１０と信号生成手段１１２が連携して行なう信号処理の手順を簡単に説明しておく。
【００９２】
図１０のフローチャートは、ステップＳ６０３１とステップＳ６０４１の処理が追加されている以外は、図６の処理と同じである。
【００９３】
追加された部部の処理を説明する。
【００９４】
ステップＳ６０３１でタッチパネルがスイッチオンされたかどうかを判定し、スイッチがＯＮされていると判定したときにはＹｅｓ側へ進んでステップＳ６０４で既撮影画像を表わすＶｉｄｅｏデータとメニュー画像を表わすＬＣＤデータとを生成する。ステップＳ６０４１で信号生成手段１１２は、ＬＣＤデータの方をＲ色，Ｇ色，Ｂ色の色信号それぞれの１画素あたりのビット数を低減して減色したデータにして出力する準備を整える。
【００９５】
以降ステップＳ６０５からの処理を行なって、図７に示す画像をそれぞれ表示する。
【００９６】
上記第２実施形態によれば、共用化されたデータバスを活用されて双方の表示画面に異なる画像を表示するようにしって本発明にいう画像表示装置を備えるデジタルカメラを操作用端末として機能させることができるようになる。さらにデジタルカメラの消費電力の低減を図ることができる。
【００９７】
次に第３実施形態を図１１、図１２を参照して説明する。
【００９８】
図１１は、第２実施形態と同様にデジタルカメラ１００ＡのＬＣＤパネル上にタッチパネル１５０Ａを設けるとともに第１実施形態と同様にＬＣＤ１５０のＬＣＤパネル上とテレビジョン受像機２００の表示画面上とにそれぞれ同じ既撮影画像を表示してデジタルカメラ１００Ａ側のタッチパネル１５０Ａのタッチ位置をテレビジョン受像機の表示画面上に表示することができるようにした場合の構成例を説明する図である。
【００９９】
また、図１２は、図１１の構成を実現するために、図８のマイコン１１０と信号生成手段１１２とが行なう信号処理の手順を示す図である。この図１２の処理は、図８と同じ構成を持つデジタルカメラ１００Ａ内部のマイコン１１０と信号生成手段１１２とで連携して行なわれる。
【０１００】
図１１に示す様にＬＣＤ１５０とテレビジョン受像機２００との双方の表示画面上に同じ画像を表示して、ユーザがタッチパネル１５０Ａ上の一部を指で触れたときにその指で触れた部分をテレビジョン受像機２００の表示画面上に表示マークＭの形で映し出すことができるようにしている。
【０１０１】
このようにすると、プレゼンテーション等を行なうときにデジタルカメラ１００Ａを操作用端末にしてデジタルカメラ１００Ａの表示画面上のタッチパネル１５０Ａをタッチすることでそのタッチ位置をレーザポインタで指示したのと同じように機能させることができる。
【０１０２】
図１２を参照して、マイコン１１０と信号生成手段１１２が行なう信号処理の手順を説明する。
【０１０３】
ステップＳ６０３２とステップＳ６０３３の処理が追加されステップＳ６０４の処理がステップＳ６０４Ａの処理に変更され、ステップＳ６０４１の処理が削除された以外は、図１０の処理と同じである。
【０１０４】
変更された箇所を中心に簡単に説明する。
【０１０５】
マイコン１１０は、タッチパネル１５０Ａがスイッチオンされたと判定したときにはＹｅｓ側へ進んで、ステップＳ６０３２でタッチパネル１５０Ａに指等が触れられたかどうかを判定する。ここでマイコン１１０が、タッチパネル１５０Ａに指等が触れられたと判定したときにはＹｅｓ側へ進んでステップＳ６０３３でタッチ位置のＸＹ座標を読み取って信号生成手段にそれらのデータを供給する。ステップＳ６０３４で信号生成手段１１２は、タッチ位置のＸＹ座標をＶｉｄｅｏデータ生成部１１２Ｂに供給してＶｉｄｅｏデータ生成部１１２Ｂに既撮影画像を表わす画像表示マークを表わす画像を重畳したＶｉｄｅｏデータを生成させる。
【０１０６】
以降ステップＳ６０５からの処理を行なうと、図７に示すような異なる画像が双方の表示画面上に表示される。
【０１０７】
上記第３実施形態の構成にすると、撮影装置の操作用端末としての機能がより一層高められるという効果が得られる。
【図面の簡単な説明】
【０１０８】
【図１】本発明の画像表示装置を備える撮影装置の一実施形態であるデジタルカメラを示す図である。
【図２】デジタルカメラ１００が備えるＶｉｄｅｏ出力端子１９０にテレビジョン受像機２００からの接続ケーブルＣＡが接続された場合の状態を示す図である。
【図３】図１、図２のデジタルカメラ１００内部の電気系統の構成ブロック図である。
【図４】テレビジョン受像機２００の１画面分の走査信号の時間的な流れを説明する図である。
【図５】マイコン１１０と信号生成手段１１２とが連携して行なう信号処理の手順を説明するフローチャートである。
【図６】マイコン１１０と信号生成手段１１２とが連携して行なう信号処理の手順を説明する図である。
【図７】第１実施形態の構成に加えてＬＣＤ１５０のＬＣＤパネル上にタッチパネル１５０Ａを付加した場合の第２実施形態の作用を説明する図である。
【図８】図７の構成を実現するデジタルカメラの内部構成を示す図である。
【図９】図５と同様の、図８内部のマイコン１１０と信号生成手段１１２とが連携して行なう信号処理の手順を説明するタイミングチャートである。
【図１０】図６と同様の、マイコン１１０と信号生成手段１１２とが連携して行なう信号処理の手順を説明するフローチャートである。
【図１１】第２実施形態と同様にデジタルカメラのＬＣＤパネル上にタッチパネルを設けるとともに第１実施形態と同様にＬＣＤのＬＣＤパネル上とテレビジョン受像機の表示画面上とにそれぞれ同じ既撮影画像を表示してデジタルカメラ側のタッチパネルのタッチ位置をテレビジョン受像機の表示画面上に表示することができるようにした場合の構成例を説明する図である。
【図１２】図１１の構成を実現するために、マイコンと信号生成手段とが行なう信号処理の手順を示す図である。
【符号の説明】
【０１０９】
１００  デジタルカメラ
１０１  操作子群
１０１ａ    電源スイッチ
１０１ｂ    十字キー
１０１ｃ    メニュー／ＯＫキー
１０１ｄ  キャンセルキー
１０１ｅ    モードレバー
１０１ｆ    ズームスイッチ
１０２  レリーズ釦
１０５  ファインダ
１１０    マイコン
１１１    撮像素子
１１２    信号生成手段
１１２１    信号処理回路
１１２Ａ    ＬＣＤデータ生成部
１１２Ｂ    Ｖｉｄｅｏデータ生成部
１１３    外部ＩＦ
１１４    メモリ
１５０    ＬＣＤ
１５０１  ＬＣＤドライバ
１９０    Ｖｉｄｅｏ出力端子
２００    テレビジョン受像機（ＴＶ）
ＭＵＸ    マルチプレクサ
ＬＭ    ラインメモリ
ＭＣ    メモリカード
【図１】
2009118238.tif 000003
【図２】
2009118238.tif 000004
【図３】
2009118238.tif 000005
【図４】
2009118238.tif 000006
【図５】
2009118238.tif 000007
【図６】
2009118238.tif 000008
【図７】
2009118238.tif 000009
【図８】
2009118238.tif 000010
【図９】
2009118238.tif 000011
【図１０】
2009118238.tif 000012
【図１１】
2009118238.tif 000013
【図１２】
2009118238.tif 000014